(57)【要約】【課題】引掛けシーリングボディと本体取付用アダプタとが確実に係合していない場合は本体取付用アダプタに照明器具本体が取り付けできない直付照明器具取付装置を提供する。【解決手段】本体取付用アダプタ２０にロック部材３４を設ける。ロック部材３４には、給電金具回転ロック爪３４ａとスライド爪ロック部３４ｂとが設けられている。給電金具回転ロック爪３４ａは引掛けシーリングボディと本体取付用アダプタ２０とが正しく固定されたときに引掛けシーリングボディの給電金具受けの挿入口に貫入し両者の関係を固定する。同時にスライド爪ロック部３４ｂも移動して本体固定用スライド爪４１の拘束を解除するので、本体取付用アダプタ２０への照明用器具本体の取付けが可能となる。従って、引掛けシーリングボディと本体取付用アダプタとが確実に係合していない限り本体取付用アダプタ２０に照明器具本体が取り付けできない。【選択図】図４
2007227323.tif 000002
【特許請求の範囲】
【請求項１】
天井面に固定される引掛けシーリングボディ、および照明器具本体を該引掛けシーリングボディに固定するための本体取付用アダプタとを有し、
前記本体取付用アダプタには、前記引掛けシーリングボディと所定の関係で係合したときに、該所定の関係を維持するロック手段が設けられていることを特徴とする直付照明器具取付装置。
【請求項２】
請求項１に記載の直付照明器具取付装置において、
前記本体取付用アダプタに設けられた先端が屈曲した給電金具と、
前記引掛けシーリングボディに設けられ、一端には前記給電金具の屈曲した先端を溝内に挿入するための挿入口を備える円弧状の溝と、
前記ロック手段を構成し、前記挿入口から溝内に挿入された前記給電金具の屈曲した先端が前記本体取付用アダプタの回転によって溝内の所定の位置に達したときに、前記本体取付用アダプタから前記挿入口に挿入されるロック爪とを有する、直付照明器具取付装置。
【請求項３】
請求項２に記載の直付照明器具取付装置において、
前記本体取付用アダプタには、前記ロック爪をロック位置から開放するロック解除機構を有する、直付照明器具取付装置。
【請求項４】
請求項１から請求項３のいずれか１項に記載の直付照明器具取付装置において、
前記本体取付用アダプタに設けられて、該本体取付用アダプタの側面から外部に対し前進後退可能なスライド爪と、
前進した前記スライド爪と係合する前記照明器具本体に形成された開口部と、
前記ロック爪が前記本体取付用アダプタと前記引掛けシーリングボディとの所定の位置関係を固定していない場合には、前進状態の前記スライド爪の後退を阻止するロック部とを有する、直付照明器具取付装置。
【請求項５】
請求項４に記載の直付照明器具取付装置において、
前記スライド爪が前進位置にとなるように押圧するスプリングと、前記ロック部が後退を阻止していないときに外部からの操作によって前記スライド爪を後退させるつまみとを有する、直付照明器具取付装置。
【請求項６】
請求項１から請求項５のいずれか１項に記載の直付照明器具取付装置を備えたことを特徴とする天井直付照明装置。
【発明の詳細な説明】
【技術分野】
【０００１】
本発明は直付照明器具取付装置と天井直付照明装置に関し、特に本体取付用アダプタと引掛けシーリングボディおよび照明器具本体との取付けが確実にできる直付照明器具取付装置とその直付照明器具取付装置を備えた天井直付照明装置に関する。
【背景技術】
【０００２】
今日の一般家庭で使用される天井直付照明装置においては、天井面に配線器具である引掛けシーリングボディが設置されていれば複雑な取り付け工事が不要で、一般の顧客でも簡単に照明器具の取り付けができる構造の照明器具が多く販売されており、照明器具は本体取付用アダプタと照明器具本体部とカバーとから構成されている。
【０００３】
照明器具の取り付け作業においては、一般の顧客が取扱説明書の記載に従って照明器具本体の取り付けを行うが、確実な取り付けができていない場合は照明器具の落下事故を起こす可能性もあり、取り付け不備による照明器具落下事故を未然に防ぐことが必要である。
【０００４】
従来の本体取付用アダプタへの照明器具本体の取付けでは、取付用アダプタの側面に設けられた対称の位置にある横方向に前進後退可能な係止部を、取付用アダプタの下面に設けられた１個の操作ボタンの上下操作により操作していた。特許文献１には、そのために一方の係止部の動作が不良であってもわかりにくく危険を生ずる可能性があったことを防止するために、左右にそれぞれ操作解除部を設けた取付装置が開示されている。
【特許文献１】特開平２００４−２４７３１５号公報
【発明の開示】
【発明が解決しようとする課題】
【０００５】
特許文献１に開示の取付装置を用いることにより、取付用アダプタへの照明器具本体の取付けの安全性は確保できる。しかし、本体取付用アダプタの給電金具が天井に取り付けられている引掛けシーリングボディの給電金具受けに確実に嵌っていないなどで、本体取付用アダプタが引掛けシーリングボディに確実に取り付けられていない状態で使用される可能性がある。その場合、振動などの作用により本体取付用アダプタが給電金具の外れる方向に回転して、本体取付用アダプタが天井の引掛けシーリングボディから外れることがある。その場合には重量数キロの器具本体が落下する事故を招いてしまうという問題がある。
【０００６】
本発明の目的は、引掛けシーリングボディと本体取付用アダプタとが確実に係合していない場合は本体取付用アダプタに照明器具本体が取り付けできない直付照明器具取付装置を提供することにある。
【課題を解決するための手段】
【０００７】
本発明の直付照明器具取付装置は、
天井面に固定される引掛けシーリングボディと照明器具本体をその引掛けシーリングボディに固定するための本体取付用アダプタとを有し、本体取付用アダプタには、引掛けシーリングボディと所定の関係で係合したときに、その所定の関係を維持するロック手段が設けられていることを特徴とする。
【０００８】
本体取付用アダプタに設けられた先端が屈曲した給電金具と、引掛けシーリングボディに設けられ、一端には給電金具の屈曲した先端を溝内に挿入するための挿入口を備える円弧状の溝と、挿入口から溝内に挿入された給電金具の屈曲した先端が本体取付用アダプタの回転によって溝内の所定の位置に達したときに、本体取付用アダプタから挿入口に挿入されるロック手段を構成するロック爪とを有してもよく、本体取付用アダプタには、ロック爪をロック位置から開放するロック解除機構を有してもよい。
【０００９】
本体取付用アダプタに設けられて、本体取付用アダプタの側面から外部に対し前進後退可能なスライド爪と、前進したスライド爪と係合する照明器具本体に形成された開口部と、ロック爪が本体取付用アダプタと引掛けシーリングボディとが所定の位置関係を固定していない場合には、前進状態のスライド爪の後退を阻止するロック部とを有してもよく、スライド爪が前進位置にとなるように押圧するスプリングと、ロック部が後退を阻止していないときに外部からの操作によってスライド爪を後退させるつまみとを有してもよい。
【００１０】
本発明の天井直付照明装置は、上述の直付照明器具取付装置を備えたことを特徴とする。
【００１１】
本体取付用アダプタのロック手段は、本体取付用アダプタが引掛けシーリングボディと所定の関係で係合したときにその所定の関係を固定するので、所定の関係で係合した後に、本体取付用アダプタが引掛けシーリングボディから外れることはない。
【００１２】
また、本体取付用アダプタが引掛けシーリングボディと所定の関係で係合してロック手段で固定されていないときには、照明器具本体固定用のスライド爪を後退させることができないので、本体取付用アダプタとともに照明器具本体が脱落するする事故を防止できる。
【発明の効果】
【００１３】
本発明は、引掛けシーリングボディと本体取付用アダプタとが所定の関係で結合した場合に結合をロックする手段を有するので、使用中に本体取付用アダプタが脱落することがないという効果がある。
【００１４】
さらに、引掛けシーリングボディと本体取付用アダプタとが確実に係合していない場合は照明器具本体を本体取付用アダプタに取り付けることができないので、本体取付用アダプタの取り付け不十分に基づく照明器具本体の落下を防ぐことができるという効果がある。
【発明を実施するための最良の形態】
【００１５】
次に、本発明の実施の形態について図面を参照して説明する。本発明の直付照明器具取付装置は、天井面に固定される引掛けシーリングボディと引掛けシーリングボディに照明器具本体を固定する本体取付用アダプタとから構成され、正しく固定された引掛けシーリングボディと本体取付用アダプタはロック解除を行わなければ取り外すことができず、引掛けシーリングボディと本体取付用アダプタとが正しく固定されていなければ照明器具本体が取付けできないことを特徴とする。
【００１６】
図１は本発明の実施の形態の直付照明器具取付装置を有する天井直付照明装置の分解斜視図であり、図２は引掛けシーリングボディと本体取付用アダプタとの取付け関係を示す模式図であり、（ａ）は図１と異なった方向から見た直付照明器具取付装置の分解斜視図であり、（ｂ）は給電金具受けと給電金具と給電金具回転ロック爪の関係を示す模式的下面図である。本発明の天井直付照明装置１は、本発明の直付照明器具取付装置２を構成する引掛けシーリングボディ１０および本体取付用アダプタ２０と、ランプ５２が取り付けられた照明器具本体５０と、照明器具カバー６０とを備える。
【００１７】
引掛けシーリングボディ１０は天井面７０に固定される。引掛けシーリングボディ１０は下面に通常２個の給電金具受け１１を有し、給電金具受け１１には電源から電気エネルギーが供給されている。本体取付用アダプタ２０の上面には係止爪を兼ねる給電金具３１が設けられ、給電金具３１の屈曲した先端が、給電金具受け１１の下面の円弧状の溝に係合することによって引掛けシーリングボディ１０と本体取付用アダプタ２０とが固定される。引掛けシーリングボディ１０の給電金具受け１１の溝の一端は幅の広い挿入口１１ａとなっており、給電金具３１の屈曲した先端が挿入口１１ａを通って給電金具受け１１の溝内に入り、本体取付用アダプタ２０を回転させることによって給電金具３１の屈曲した先端が溝に係合して固定される。
【００１８】
照明器具本体５０の上部の円形の開口部５０ａは、本体取付用アダプタ２０の外周面と整合しており、本体取付用アダプタ２０に挿入された照明器具本体５０の開口部５０ａは本体取付用アダプタ２０の爪部４１ａにより保持される。照明器具カバー６０は内部の不図示のフックが照明器具本体５０内部のカバーストッパ５３と係合することによって照明器具本体５０に固定される。
【００１９】
次に、本実施の形態の直付照明器具取付装置２について詳細に説明する。上述のように直付照明器具取付装置２は引掛けシーリングボディ１０と本体取付用アダプタ２０とから構成される。図３は本体取付用アダプタのカバーを外した状態の斜視図であり、図４は本体取付用アダプタの内部の構成を示す分解斜視図であり、図５は照明器具取付用スライド爪が前進した状態での本体取付用アダプタの照明器具取付用スライド爪と給電金具回転ロック爪との関係を示す図であり、（ａ）は部分断面側面図、（ｂ）は下面図である。図６は照明器具取付用スライド爪が後退した状態での本体取付用アダプタの照明器具取付用スライド爪と給電金具回転ロック爪との関係を示す図であり、（ａ）は部分断面側面図、（ｂ）は下面図である。
【００２０】
引掛けシーリングボディ１０は天井面７０に固定され、下面に本体取付用アダプタ２０の係止爪を兼ねる給電金具３１と係合する給電金具受け１１を有し、給電金具受け１１の一端は幅の広い挿入口１１ａとなっており、給電金具３１の屈曲した先端が挿入口１１ａを通って給電金具受け１１の溝内に入り、本体取付用アダプタ２０を回転させることによって給電金具３１の屈曲した先端が溝に係合して固定される。給電金具受け１１には電源から電気エネルギーが供給されている。
【００２１】
本体取付用アダプタ２０は、アダプタボディ２１と、アダプタボディ２１にカバー取付ねじ２３で固定されるカバー２２を有し、カバー２２には本体固定用スライド爪４１のスライド用つまみ４１ｂを操作するための開口部２２ａが設けられている。
【００２２】
アダプタボディ２１の上面側には、引掛けシーリングボディ１０の給電金具受け１１と係合する２個の給電金具３１が設けられており、内部には２個の本体固定用スライド爪４１と、ロック部材３４とが設けられている。
【００２３】
引掛けシーリングボディ１０の給電金具受け１１と係合する２個の給電金具３１は給電金具固定ねじ３２でアダプタボディ２１の上面側に固定されていて先端が屈曲している。両方の給電金具３１には給電コネクタ３３がコードで接続されている。給電コネクタ３３は外部に引き出されて本体取付用アダプタ２０に取り付けられた照明器具本体５０の不図示の受電用端子に接続される。
【００２４】
２個の本体固定用スライド爪４１は、スライド爪用スプリング４２で押圧されて爪部４１ａが本体取付用アダプタ２０の側面に滑合した照明器具本体５０の開口部５０ａの下面と係合して、照明器具本体５０を本体取付用アダプタ２０に固定する。それぞれの本体固定用スライド爪４１にはスライド用つまみ４１ｂが設けられており、スライド用つまみ４１ｂは外部から操作可能なようにカバー２２の開口部２２ａから露出している。
【００２５】
ロック部材３４には、給電金具回転ロック爪３４ａとスライド爪ロック部３４ｂとが設けられており、回転ロック用スプリング３５でアダプタボディ２１の上面に押圧されている。
【００２６】
給電金具回転ロック爪３４ａは、アダプタボディ２１の上面に設けられた開口に挿入されており、その開口は１個の給電金具３１に対して所定の位置関係となるように設けられている。所定の位置関係とは給電金具３１が引掛けシーリングボディ１０の給電金具受け１１に係合して固定された時の給電金具受け１１の挿入口１１ａの位置である。従って図２（ｂ）に示すように、給電金具３１が引掛けシーリングボディ１０の給電金具受け１１に係合して固定された時に、給電金具回転ロック爪３４ａは回転ロック用スプリング３５の押圧力で挿入口１１ａに貫入する。これによって本体取付用アダプタ２０の引掛けシーリングボディ１０に対する回転は係止される。また、アダプタボディ２１の側面にはロック解除ボタン３６が設けられており、給電金具回転ロック爪３４ａの支持部と係合してロック解除ボタン３６の押圧時に給電金具回転ロック爪３４ａを押し下げ、常時は不図示のスプリングで開放状態となっている。
【００２７】
スライド爪ロック部３４ｂは、アダプタボディ２１の側面の両側に設けられている２個の本体固定用スライド爪４１が前進した状態の時の本体固定用スライド爪４１の後端の間隙に対応する幅を有している。給電金具回転ロック爪３４ａが挿入口１１ａに貫入していない時には、図５に示すように本体固定用スライド爪４１の後端の間隙と噛み合って本体固定用スライド爪４１の後退を阻止する。給電金具回転ロック爪３４ａが挿入口１１ａに貫入した時には、図６に示すように上昇して本体固定用スライド爪４１の後退を可能にする。
【００２８】
次に、本発明の実施の形態の直付照明器具取付装置２を有する天井直付照明装置１の取付け取り外しの動作について説明する。天井面７０に引掛けシーリングボディ１０を固定し、引掛けシーリングボディ１０に本体取付用アダプタ２０を取り付ける。先ず本体取付用アダプタ２０の２個の給電金具３１の屈曲した先端を引掛けシーリングボディ１０の給電金具受け１１の挿入口１１ａに合わせて挿入口１１ａに押し込む。次に、本体取付用アダプタ２０をねじ込みの方向に回転させると給電金具３１の屈曲した先端が給電金具受け１１の溝と係合し、所定の角度まで回転する。
【００２９】
この時、図２（ｂ）に示すように、本体取付用アダプタ２０のロック部材３４の給電金具回転ロック爪３４ａが給電金具受け１１の挿入口１１ａと整合して、回転ロック用スプリング３５の押圧力で給電金具回転ロック爪３４ａが挿入口１１ａに押し込まれる。これによって引掛けシーリングボディ１０に本体取付用アダプタ２０が安定的に固定され、本体取付用アダプタ２０は引掛けシーリングボディ１０に対して回転できなくなる。所定の角度まで回転しない場合も引掛けシーリングボディ１０と本体取付用アダプタ２０とは一応固定されるが、反対方向の回転が生ずると給電金具３１の屈曲した先端が給電金具受け１１の挿入口１１ａから外れて本体取付用アダプタ２０が脱落するおそれがある。
【００３０】
所定の角度まで回転して引掛けシーリングボディ１０に固定された本体取付用アダプタ２０を取り外すには、本体取付用アダプタ２０の側面にあるロック解除ボタン３６を押圧する。それによって給電金具回転ロック爪３４ａの支持部がロック解除ボタン３６のテーパー面で押し下げられて、給電金具回転ロック爪３４ａが給電金具受け１１の挿入口１１ａから抜け出すので、本体取付用アダプタ２０の回転が自由になる。本体取付用アダプタ２０を回転させて、給電金具３１の屈曲した先端が給電金具受け１１の挿入口１１ａの位置まで来ると、本体取付用アダプタ２０を取り外すことができる。
【００３１】
引掛けシーリングボディ１０に固定された本体取付用アダプタ２０に照明器具本体５０を取り付けるには、照明器具本体５０の開口部５０ａを取付用アダプタ２０の側面部にあわせて押し込む。次に取付用アダプタ２０のカバー２２の２箇所の開口部２２ａから露出している本体固定用スライド爪４１のスライド用つまみ４１ｂを中央方向に移動させる。それによって爪部４１ａが側面部から後退するので照明器具本体５０をさらに押し込む。開口部５０ａが爪部４１ａを超えたところでスライド用つまみ４１ｂを開放するとスライド爪用スプリング４２の力で本体固定用スライド爪４１が前進して元の位置に戻って開口部５０ａの下面と係合する。本体固定用スライド爪４１の照明器具本体５０の開口部５０ａと当接する面はテーパーとなっているので照明器具本体５０を押し込むだけでも本体固定用スライド爪４１は後退し、開口部５０ａが超えたときに前進する。それによって照明器具本体５０が本体取付用アダプタ２０に固定される。
【００３２】
ここで、引掛けシーリングボディ１０に本体取付用アダプタ２０が正しく固定されていない場合は、ロック部材３４の給電金具回転ロック爪３４ａが下がった状態になっている。それによってロック部材３４のスライド爪ロック部３４ｂも下がった状態になって、図５に示すように２個の本体固定用スライド爪４１の後端の間に入り込む。従って本体固定用スライド爪４１を後退させることができず、照明器具本体５０を本体取付用アダプタ２０に取り付けることができない。本体取付用アダプタ２０を回転させて引掛けシーリングボディ１０に正しく固定させると給電金具回転ロック爪３４ａが給電金具受け１１の挿入口１１ａに入り込む。それによってスライド爪ロック部３４ｂもロック状態から移動するので、図６に示すように本体固定用スライド爪４１を後退させることができる。取り付けた照明器具本体５０を取り外すには、照明器具本体５０の開口部５０ａからスライド用つまみ４１ｂを操作して本体固定用スライド爪４１を後退させればよい。
【００３３】
本体取付用アダプタ２０の給電コネクタ３３を照明器具本体５０の不図示の受電用端子に差し込み、本体取付用アダプタ２０に固定された照明器具本体５０のカバーストッパ５３に照明器具カバー６０のフックを係合させると、天井直付照明装置１の取り付けが完了する。
【００３４】
このように、引掛けシーリングボディ１０に正しく本体取付用アダプタ２０が固定されていないと照明器具本体５０の取付けができないので、引掛けシーリングボディ１０からの本体取付用アダプタ２０の外れによる照明器具本体５０の落下が防止できる。
【図面の簡単な説明】
【００３５】
【図１】本発明の実施の形態の直付照明器具取付装置を有する天井直付照明装置の分解斜視図である。
【図２】引掛けシーリングボディと本体取付用アダプタとの取付け関係を示す模式図であり、（ａ）は図１と異なった方向から見た直付照明器具取付装置の分解斜視図であり、（ｂ）は給電金具受けと給電金具と給電金具回転ロック爪の関係を示す模式的下面図である。
【図３】本体取付用アダプタのカバーを外した状態の斜視図である。
【図４】本体取付用アダプタの内部の構成を示す分解斜視図である。
【図５】照明器具取付用スライド爪が前進した状態での本体取付用アダプタの照明器具取付用スライド爪と給電金具回転ロック爪との関係を示す図であり、（ａ）は部分断面側面図、（ｂ）は下面図である。
【図６】照明器具取付用スライド爪が後退した状態での本体取付用アダプタの照明器具取付用スライド爪と給電金具回転ロック爪との関係を示す図であり、（ａ）は部分断面側面図、（ｂ）は下面図である。
【符号の説明】
【００３６】
１    天井直付照明装置
２    直付照明器具取付装置
１０    引掛けシーリングボディ
１１    給電金具受け
１１ａ    挿入口
２０    本体取付用アダプタ
２１    アダプタボディ
２２    カバー
２２ａ    開口部
２３    カバー取付ねじ
３１    給電金具
３２    給電金具固定ねじ
３３    給電コネクタ
３４    給電金具回転ロック爪
３５    回転ロック用スプリング
３６    ロック解除ボタン
４１    本体固定用スライド爪
４１ａ    爪部
４１ｂ    スライド用つまみ
４２    スライド爪用スプリング
５０    照明器具本体
５０ａ    開口部
５２    ランプ
５３    カバーストッパ
６０    照明器具カバー
７０    天井面
【図１】
2007227323.tif 000003
【図２】
2007227323.tif 000004
【図３】
2007227323.tif 000005
【図４】
2007227323.tif 000006
【図５】
2007227323.tif 000007
【図６】
2007227323.tif 000008